(57)【特許請求の範囲】
【請求項１】
ランプ及び部品が装備される上部部材と、
前記上部部材に嵌合し、前記上部部材と嵌合した状態で前記部品の一部が外部に露出するための孔部が下面部に形成された下部部材と、
前記下部部材を前記上部部材に嵌合したとき前記部品と前記下部部材との間に介在し、前記部品と前記下部部材との隙間を塞ぐパッキンと、を備え、
前記パッキンは、前記下部部材の前記孔部の内周部に取り付けられる取付部と、先端が前記部品に接触するひだ状の接触部と、を有し、
前記接触部に水が溜まるとその水の自重で前記接触部が下方へ撓んで開き、前記接触部と前記部品の間に隙間が形成されるように、可撓性又は柔軟性を有する材料であることを特徴とする照明器具。
【請求項２】
請求項１に記載の照明器具であって、
前記パッキンを前記下部部材に取り付けた状態で前記下部部材によって覆われた内部空間に面する前記パッキンの表面に、前記取付部の端から前記接触部にかけて溝が形成されたことを特徴とする照明器具。
【請求項３】
請求項１に記載の照明器具であって、
前記接触部は、前記取付部側から前記先端側にかけて先細りした形状であることを特徴とする照明器具。
【請求項４】
請求項１に記載の照明器具であって、
前記下部部材の内底面は、前記孔部に向かって下側に傾斜していることを特徴とする照明器具。
【発明の詳細な説明】
【技術分野】
【０００１】
本発明は、内部に溜まった水の排水機能を有する照明器具に関する。
【背景技術】
【０００２】
従来、屋外等での使用を可能とするために、水抜き機構を備えた照明器具が知られている。例えば、特許文献１に開示されている照明器具１００は、図７及び図８に示すように、器具本体１０１の器具本体１０１の下面部１０１Ａに形成された水抜き兼覗き孔１０２、及び器具本体１０１の水抜き兼覗き孔１０２の内側に配置された充電用モニタランプ１０３等を備える。水抜き兼覗き孔１０２は、漏斗状をなす筒部１０４の先端に形成されている。筒部１０４は、器具本体１０１の下面部１０１Ａに一体に形成されている。なお、図７及び図８中の符号１０５は取付け台を示す。
【０００３】
したがって、この照明器具によれば、器具本体１０１に浸入し下面部１０１Ａの内側に溜まった水は、水抜き兼覗き孔１０２の漏斗状の部分に誘い出され、表面張力で溜まることなく排水される。
【０００４】
また、図９に示す屋外設置用の照明器具２００も知られている。この照明器具２００は、グローブ２０１の下面中央に形成した開口部２０１Ａに人感センサ２０２を有し、その周囲にはパッキン２０３が設けられている。また、このパッキン２０３には水抜き孔２０３Ａが形成されている。
【０００５】
【特許文献１】実開昭６２−７１８１８号公報
【発明の開示】
【発明が解決しようとする課題】
【０００６】
しかし、上記説明した照明器具では、水抜き穴が開口されているため、小さな虫等が明かりを求めて開口部から器具内部に侵入してしまう。器具内部に侵入した虫の死骸をグローブに溜め込んだ照明器具は、見る者に不快な感じを与えてしまう。また、後者の照明器具では、パッキン２０３に水抜き孔２０３Ａを設けるため、パッキン２０３の大きさは、水抜き穴２０３Ａを設けることのできる大きさでなければならない。
【０００７】
本発明の目的は、小さな虫等の侵入を防止し、かつ内部に溜まった水の排水機能も備えた照明器具を提供することである。
【課題を解決するための手段】
【０００８】
本発明は、ランプ及び部品が装備される上部部材と、前記上部部材に嵌合し、前記上部部材と嵌合した状態で前記部品の一部が外部に露出するための孔部が下面部に形成された下部部材と、前記下部部材を前記上部部材に嵌合したとき前記部品と前記下部部材との間に介在し、前記部品と前記下部部材との隙間を塞ぐパッキンと、を備え、前記パッキンは、前記下部部材の前記孔部の内周部に取り付けられる取付部と、先端が前記部品に接触するひだ状の接触部と、を有し、前記接触部に水が溜まるとその水の自重で前記接触部が下方へ撓んで開き、前記接触部と前記部品の間に隙間が形成されるように、可撓性又は柔軟性を有する材料である照明器具を提供する。
【０００９】
上記照明器具では、前記パッキンを前記下部部材に取り付けた状態で前記下部部材によって覆われた内部空間に面する前記パッキンの表面に、前記取付部の端から前記接触部にかけて溝が形成されている。
【００１０】
上記照明器具では、前記接触部は、前記取付部側から前記先端側にかけて先細りした形状である。
【００１１】
上記照明器具では、前記下部部材の内底面は、前記孔部に向かって下側に傾斜している。
【発明の効果】
【００１２】
本発明に係る照明器具によれば、パッキンの接触部に水が溜まるとその水の自重で接触部が撓んで開き、前記部品との間に形成された隙間より外部に排水される。このため、排水時以外は隙間は形成されないため、照明器具の内部への小さな虫等の侵入を防ぐことができる。
【発明を実施するための最良の形態】
【００１３】
以下、本発明の実施形態について、添付図面を参照して説明する。
【００１４】
図１は、一実施形態の照明器具を示す斜視図である。図２は、一実施形態の照明器具を示す分解斜視図である。図１及び図２に示すように、照明器具１は、器具本体２と、グローブ３と、パッキン４とを備える。
【００１５】
器具本体２は、下端が開口した円筒形状であり、照明器具１の上部部材を構成する。器具本体２の内部の上端面（天井面側）には、ランプ２１、センサ２２、反射板２３、制御ブロック２４及び安定器２５等が搭載されている。なお、センサ２２の代わりに、同様の形状のアクセサリ等の部品であってもよい。
【００１６】
グローブ３は、照明器具１の下部部材を構成し、器具本体２に嵌合される。また、グローブ３は、ランプ２１からの光を透過する。グローブ３の材料としては、例えば、曲げ弾性率が２０００〜３０００ＭＰａであるアクリル樹脂が用いられる。
【００１７】
また、グローブ３には、センサ２２の一部を外部に露出させるための孔部３１Ａが下面部３１の中央に形成されている。さらに、グローブ３には、排水性を考慮して、図３に示すように、下面部３１の内底面３１Ｂが孔部３１Ａのある中央に向かって下側（つまり、重力の作用する方向）に徐々に傾斜している。
【００１８】
パッキン４は、グローブ３が器具本体２に嵌合した状態で、センサ２２とグローブ３との間に介在し、センサ２２とグローブ３との隙間を塞ぐ。本実施形態のセンサ２２は円形状であるため、パッキン４は、中央部が開口したリング状に形成されている。さらに、パッキン４は、可撓性又は柔軟性を有する材料、例えば、曲げ弾性率が５〜１０ＭＰａのシリコンにより形成されている。なお、パッキン４は円形のリング状に限らず、多角形のリング状であっても良い。
【００１９】
パッキン４は、図４に示すように、グローブ３の孔部３１Ａの内周部を挟持する外輪部４１と、外輪部４１から中心側に向けて延び先端がセンサ２２に接触するひだ状の内輪部４２とを有する。内輪部４２の断面形状は、外輪部４１側から先端側（つまり、孔部３１Ａの中心側）にかけて断面が先細りしている。
【００２０】
図５は、パッキン４の変形例を示す斜視図である。図５に示すように、パッキン４には、グローブ３に取り付けたときそのグローブ３によって覆われた内部空間に臨むパッキンの表面（上面）に、外輪部４１の端から内輪部４２にかけて溝４３が設けられていても良い。パッキン４に設けられた溝４３によって、グローブ３内に溜まった水が効率的に内輪部４２に誘導される。なお、溝４３が設けられたパッキンにおいて、溝４３の数は４本に限らない。
【００２１】
以下、本実施形態の照明器具１が有する排水機能に関して、図４及び図６を参照して詳細に説明する。グローブ３に覆われた内部空間に臨む下面部３１の内底面３１Ｂに水分が付着すると、図４に示すように、その水分は傾斜した下面部３１を伝ってパッキン４の外輪部４１へ向かい、外輪部４１から溝４３に沿って内輪部４２に到達する。内輪部４２に到達した水分Ｗは、内輪部４２の上面（内部空間に臨む面）に溜まる。図６に示すように、所定の重量の水Ｗが溜まると、その水Ｗの自重によって内輪部４２の襞が下方へ撓んで開き、センサ２２との間に隙間が形成される。内輪部４２の上面に溜まった水Ｗは、センサ２２との間に形成された隙間より外部に排出される。
【００２２】
以上説明したように、本実施形態の照明器具１によれば、グローブ３内部の水がパッキン４の内輪部４２の上面に一定重量溜まると内輪部４２の襞が開口し、その水が外部へ排出される。このように本実施形態の照明器具１は排水機能を有するが、パッキン４の内輪部４２の上面に一定重量の水が溜まらない限り、すなわち排水時以外は、センサ２２との間に排水のための隙間は形成されない。したがって、外部からグローブ３内に小さな虫等が侵入できない。また、パッキン４の内輪部４２の上面に溜まった水は、一定重量となった時点で外部に排出されるため、部品の浸水を防ぐことができる。さらに、パッキン４を薄型化できるため、意匠性に優れた照明器具を提供できる。
【産業上の利用可能性】
【００２３】
本発明に係る照明器具は、小さな虫等の侵入を防止し、かつ内部に溜まった水の排水機能も備えた屋外用の照明器具等として有用である。
【図面の簡単な説明】
【００２４】
【図１】一実施形態の照明器具を示す斜視図
【図２】一実施形態の照明器具を示す分解斜視図
【図３】器具本体に装着された状態のグローブ、センサ及びパッキンを示す断面図
【図４】器具本体に装着された状態のグローブ、センサ及びパッキンを示す拡大断面図
【図５】パッキンの変形例を示す斜視図
【図６】水の自重によって形成された隙間から排水される様子を示す図
【図７】特許文献１に開示された照明器具を示す断面図
【図８】特許文献１に開示された照明器具を示す分解斜視図
【図９】従来の他の照明器具を示す斜視図
【符号の説明】
【００２５】
１  照明器具
２  器具本体
２１  ランプ
２２  センサ
３  グローブ
３１  下面部
３１Ａ  孔部
３１Ｂ  内底面
４  パッキン
４１  外輪部
４２  内輪部
４３  溝
【図１】
0004893494.tif 000002
【図２】
0004893494.tif 000003
【図３】
0004893494.tif 000004
【図４】
0004893494.tif 000005
【図５】
0004893494.tif 000006
【図６】
0004893494.tif 000007
【図７】
0004893494.tif 000008
【図８】
0004893494.tif 000009
【図９】
0004893494.tif 000010